(57)【特許請求の範囲】
【請求項１】
洗浄組立体（１）であって、基礎部（２）と、熱交換部材（３）とを備え、
前記基礎部（２）が、上方入口（６）と下方出口（７）とを画定する包絡面を提供する椀形を含み、前記下方出口が、排水路（３３）と連通するように配置され、
前記熱交換部材（３）が、上方壁（１７ａ）と下方壁（１７ｂ）との間に画定される螺旋通路（１８）を含み、前記螺旋通路（１８）が、前記椀形の基礎部（２）の前記包絡面に沿う延在部を有し、前記螺旋通路が、二次流体の貫流を提供されるように配置され、
前記洗浄組立体は、一次流体のための螺旋通路（１６）であって、前記一次流体を前記上方入口（６）から前記下方出口（７）へと前記螺旋通路を通じて前記排水路（３３）に向かって案内するために、前記基礎部（２）の前記包絡面と前記熱交換部材（３）の前記下方壁（１７ｂ）との間で延び、それによって前記一次流体と前記二次流体との間の熱交換を可能にする、一次流体のための螺旋通路（１６）を提供するように構成されており、
前記熱交換部材（３）の前記上方壁（１７ａ）の上方面が、前記螺旋通路（１８）から離れる方に向いている、螺旋状に形成された溝（２０）を含む、洗浄組立体。
【請求項２】
前記熱交換部材（３）の前記上方壁および前記下方壁（１７ａ、１７ｂ）が、プレス加工された金属薄板によって提供され、前記上方壁および前記下方壁（１７ａ、１７ｂ）が、前記螺旋通路（１８）を画定するように形成および結合される、請求項１に記載の洗浄組立体。
【請求項３】
前記熱交換部材（３）の前記螺旋通路（１８）が、前記熱交換部材の前記上方壁および／または前記下方壁（１７ａ、１７ｂ）におけるプレス加工されたパターンによって形成される、請求項１または２に記載の洗浄組立体。
【請求項４】
前記基礎部（２）の前記包絡面には、螺旋溝（４）が設けられる、請求項１から３のいずれか一項に記載の洗浄組立体。
【請求項５】
前記基礎部（２）の前記包絡面における前記螺旋溝（４）が、前記熱交換部材（３）の前記螺旋通路（１８）に対応する延在部およびピッチを有する、請求項４に記載の洗浄組立体。
【請求項６】
前記基礎部（２）の前記包絡面と前記熱交換部材（３）の前記下方壁（１７ｂ）とが、互いと接触して配置され、それによって前記基礎部の前記包絡面が、前記熱交換部材の前記下方壁と共に、それらの間に前記螺旋通路（１６）を画定する、請求項１から５のいずれか一項に記載の洗浄組立体。
【請求項７】
前記熱交換部材（３）の上方に配置される床張り材（２４）をさらに備える、請求項１から６のいずれか一項に記載の洗浄組立体。
【請求項８】
前記基礎部（２）の前記包絡面と前記熱交換部材（３）の前記下方壁（１７ｂ）との間で延びる前記螺旋通路（１６）に向かって前記一次流体を主に案内するように適合された分配器（４５）をさらに備える、請求項１から７のいずれか一項に記載の洗浄組立体。
【請求項９】
前記基礎部（２）の前記包絡面における前記螺旋溝（４）が、底壁部（１３）と、上流側壁部（１２）と、下流側壁部（１４）とを有し、前記下流側壁部が、隆条（１５）を含む、請求項４に記載の洗浄組立体。
【請求項１０】
前記熱交換部材（３）の前記螺旋通路（１８）の底壁（２８）が、前記基礎部（２）の前記螺旋溝（４）へと少なくとも部分的に延下する断面輪郭を有し、前記底壁（２８）の最下方位置（Ｐ）が、前記基礎部（２）の前記螺旋溝（４）の前記隆条（１５）の下方に延びる、請求項９に記載の洗浄組立体。
【請求項１１】
前記熱交換部材（３）がハイドロフォーム構造である、請求項１から１０のいずれか一項に記載の洗浄組立体。
【請求項１２】
前記洗浄組立体（１）がシャワー床張り材またはスカベンジングプレートである、請求項１から１１のいずれか一項に記載の洗浄組立体。
【発明の詳細な説明】
【技術分野】
【０００１】
本発明は洗浄組立体に関する。
【背景技術】
【０００２】
加熱された水の消費を伴う工程が実行される際、使用された温水が無駄に流されることがしばしばある。それによって、潜在的に有用な熱エネルギーが無駄にされる。特定の状況においては、熱交換器が、熱エネルギーの一部を再生するために利用され得る。
【０００３】
非限定的な例として、このような熱交換器は、熱伝達が一次流体である廃棄水から二次流体である冷水供給源へと二次流体を予熱するために起こるシャワーに対して、例として適用可能である。これは、典型的な家庭雑排水用途の例である。正に同じ原理が、例として、いわゆる赤水の用途、すなわち、畜殺場において、または、調節された水（ｔｅｍｐｅｒｅｄ  ｗａｔｅｒ）の洗浄を伴う他の用途において、同じように適用可能である。したがって、本原理は、任意のスカベンジングプレートに適用可能である。
【０００４】
この種類の熱交換器は、技術的によく知られている。例は、特許文献１〜５において例として見出され、これらはすべてシャワー用途に当てはまる。これらの知られている解決策は、適切な熱交換器を提供し得るが、清浄の場合となると、あまり適切ではないと思われる傾向がある。これらのシャワーシステムはすべて、その水シールおよび格子で、下水道に到達する前に廃棄水のための拡大された接触面を提供し、この接触面は、アクセスを制限するだけでなく、残余物のための取り得る捕捉部を形成する多くの空間も呈する。したがって、効率的な熱伝達を可能にする一方で、清浄の観点から保守することがなおも容易である洗浄組立体に対するニーズがある。
【先行技術文献】
【特許文献】
【０００５】
【特許文献１】ＧＢ２２３２７４９Ａ
【特許文献２】国際公開第２０１３０３７３８１号パンフレット
【特許文献３】ＤＥ１９６０８４０４
【特許文献４】国際公開第２０１２０９９４７６号パンフレット
【特許文献５】ＮＬ１００９９２７
【発明の概要】
【発明が解決しようとする課題】
【０００６】
本発明の目的は、先行技術の上記に特定された制限のうちの１つまたは複数を少なくとも部分的に克服することである。特に、１つの目的は、すべての部品が容易にアクセス可能であって、かつ、容易な清浄を可能にする熱交換部材を備える洗浄組立体を提供することである。
【０００７】
別の目的は、シャワーの床張り材などの利用可能な標準的な領域に限定されるが、大きな熱伝達面を提供する洗浄組立体を提供することである。
【課題を解決するための手段】
【０００８】
少なくともこれらの目的を解決するために、洗浄組立体であって、基礎部と、熱交換部材とを備え、基礎部は、上方入口と下方出口とを画定する包絡面を提供する椀形を含み、下方出口は、排水路と連通するように配置され、熱交換部材は、上方壁と下方壁との間に画定される螺旋通路を含み、螺旋通路は、椀形の基礎部の包絡面に沿う延在部を有し、螺旋通路は、二次流体の貫流を提供されるように配置され、洗浄組立体は、一次流体のための螺旋通路であって、一次流体を上方入口から下方出口へと螺旋通路を通じて排水路に向かって案内するために、基礎部の包絡面と熱交換部材の下方壁との間で延び、それによって一次流体と二次流体との間の熱交換を可能にする、一次流体のための螺旋通路を提供するように構成される、洗浄組立体が提供される。
【０００９】
洗浄組立体は、その上方入口と下方出口とを伴う椀形の基礎部が、洗浄組立体に供給される廃棄水などの一次流体の重力流を使用することになるという点で有利である。
【００１０】
椀形の基礎部と協働し、それによって、熱交換部材と椀形の基礎部との間に一次流体のための通路を画定する熱交換部材によって、一次流体は、２つの主要な面、すなわち、基礎部の包絡面、および、熱交換部材の下方壁、ひいては、冷水などの二次流体を収容する螺旋通路の外壁と、主に接触することになる。一次流体のための通路の螺旋状の延在部によって、一次流体の滞留時間、および、それによって、一次流体と二次流体との間の熱伝達のための利用可能時間が増大されることになる。
【００１１】
さらに、熱交換部材の螺旋通路が椀形の基礎部の包絡面に沿って延びるように配置されることで、螺旋通路は、対応する椀形の長手方向の延在部を自動的に有することになる。したがって、熱交換器プレートの上方壁に沿う一次流体のあらゆる流れは、熱交換部材の螺旋通路の上方壁に沿って流れることになり、それによって、前記螺旋通路における二次流体との熱伝達のための追加の接触面を提供する。したがって、一次流体は、熱交換プレートの２つの面と接触することが可能になり、それによって、より効率的な熱伝達を可能にする。これは、洗浄組立体が、床張り材の領域に基本的に対応する標準化された表面領域を有するものであるシャワーまたは客室などの設備に配置される場合に有利である。
【００１２】
熱交換部材の上方壁および下方壁は、プレス加工された金属薄板によって提供され、壁は、前記螺旋通路を画定するように形成および結合される。熱交換部材の螺旋通路は、熱交換部材の上方壁および／または下方壁におけるプレス加工されたパターンによって形成されてもよい。
【００１３】
したがって、このようなプレス加工されたパターンによって、熱交換部材の上方壁の上方面が、熱交換部材の上方面に沿う螺旋経路における一次流体の流れを可能にする螺旋状に形成された溝を受け入れることになる。熱交換部材の上方壁および下方壁の一部分を形成する通路の断面輪郭は同じであってはいけないことが、理解されるべきである。２つの壁のうちの一方は輪郭なしとでき、一方、他方の壁には螺旋通路を作り出す輪郭が設けられ得る。
【００１４】
基礎部の包絡面には、螺旋溝が設けられ得る。螺旋溝によって、滞留時間、および、それによって、利用可能な熱伝達の時間が、増加されることになる。
【００１５】
基礎部の包絡面と熱交換部材の下方壁とが、互いと接触して配置され、それによって基礎部の包絡面が、熱交換部材の下方壁と共に、それらの間に螺旋通路を画定する。基礎部の包絡面と熱交換部材の下方壁との間の接触は、直接的または間接的であり得る。間接的な接触の場合、中間の封止がそれらの間に配置されてもよい。また、接触は、連続的または非連続的であり得る。
【００１６】
洗浄組立体は、熱交換部材の上方に配置される床張り材をさらに備え得る。床張り材は、基礎部の上方入口に向かうクラウニングを有してもよい。
【００１７】
洗浄組立体は、基礎部の包絡面と熱交換部材の下方壁との間で延びる螺旋通路に向かって一次流体を主に案内するように適合された分配器をさらに備え得る。
【００１８】
したがって、このような分配器によって、一次流体は、基礎部と熱交換部材との間に画定される通路に向かって主に案内されることになり、一方、螺旋通路によって対処できないあらゆる過剰な流れは、代わりに、熱交換部材の上方面に沿って流れることになる。
【００１９】
基礎部の包絡面における螺旋溝は、底壁部と、上流側壁部と、下流側壁部とを有してもよく、下流側壁部は、隆条を含む。さらに、熱交換部材の螺旋通路の底壁は、基礎部の螺旋溝へと少なくとも部分的に延下する断面輪郭を有してもよく、底壁の最下方位置は、基礎部の螺旋溝の隆条の下方に延びる。したがって、動作中、一次流体の小さい流れの間であっても、熱交換部材の底壁は、一次流体で浸されることになる。それによって、一次流体と二次流体との間の接触面が増大されることになり、それらの間の熱伝達を増進する。
【００２０】
熱交換部材はハイドロフォーム構造であってもよい。
【００２１】
洗浄組立体はシャワー床張り材またはスカベンジングプレートであってもよい。
【００２２】
本発明のさらに他の目的、特徴、態様および利点は、以下の詳細な説明から、および図面からも明らかになる。
【００２３】
ここで、本発明の実施形態が、添付の概略的な図面を参照して、例として説明される。
【図面の簡単な説明】
【００２４】
【図１】本発明による洗浄組立体の第１の実施形態を開示する図である。
【図２】基礎部の斜視図である。
【図３】本発明による洗浄組立体の動作を概略的に開示する図である。
【発明を実施するための形態】
【００２５】
図１を参照すると、本発明の洗浄組立体１の一実施形態が示されている。洗浄組立体１は、基礎部２と、熱交換部材３と、床張り材２４とを備えている。
【００２６】
以下の説明において、凸状および凹状という用語が使用されることになる。凸形状によって、概して水平の平面から離れる方に向いている包絡面を有する突出する形状が意味される。対応するように、凹形状によって、概して水平の平面から離れる方に向いている包絡面を有する窪んだ形状が意味される。
【００２７】
ここで図２を見ると、基礎部２の一実施形態が開示されている。基礎部２は、地上に圧し掛かって配置される単一品として開示されている。代わりに、基礎部２が地面における窪みとして配置されてもよいことは、理解されるものである。
【００２８】
開示されている実施形態では、基礎部２は、四角形のフレーム９に配置された凹状の椀形を有している。フレーム９は、概して平坦な上面１０を備えている。上面１０は、好ましくは、基礎部２の上方包絡面５に沿って延びる螺旋溝４に向かって若干傾斜されている。螺旋溝４は、上方入口６から下方出口７までの間で延びている。螺旋溝に向かう上面の傾斜は、螺旋溝４に向かう流体の流出を提供する。
【００２９】
開示されている実施形態では、上面１０は、螺旋溝４に向かって角度を付けて延びる、いくつかの隆条（ｒｉｄｇｅ）１１を含む。隆条１１は、螺旋溝４の最も上方の巻きの延在部に沿う上面に接する流体を分配するために配置されている。
【００３０】
基礎部２は、均一構造として、または、シェル構造として構成され得る。図１の実施形態では、基礎部２は、３つの支持面８に載ったシェルの形態で構成されている。
【００３１】
下方出口７は、排水路３３に連結されるように配置されており、その連結は、技術的によく知られている手段によって行われ得る。基礎部の凹状の椀形のため、上方入口は、螺旋溝４の上方周囲部分に配置されており、下方出口７は、基礎部２の下方中心部分に配置されている。
【００３２】
基礎部２は、例として、金属、強化合成材料、プラスチック、または、石に基づく材料から作られ得る。螺旋溝４は、隆条１１および上面１０と共に、プレス加工、成型、または機械加工された形状であり得る。
【００３３】
ここで、特に図１を見ると、螺旋溝４は、流れ方向から見たとき、上流側壁部１２、底壁部１３、および下流側壁部１４を伴う横断断面を有している。底壁部１３は、上流側壁部１２に向かう最も深い部分で傾斜した凹状の断面輪郭を有している。さらに、下流側壁部１４は隆条１５を形成している。隆条１５は、必要とは限らないが、螺旋溝４に沿って案内されるべき一次流体が、隆条１５から溢れ出ることによって螺旋溝４から漏れ出す容易な経路を取ることよりも螺旋溝に沿って案内されることを確保する障壁として機能する。さらに、傾斜した底壁部１３は、より多くの量の一次流体を螺旋溝４に収容させることができ、一次流体との増進させた接触面も可能にする。螺旋溝４は、好ましくは、鉛直方向断面で見たとき、洗浄組立体の推定される通常の一次流体の流れを若干下回る流体量を取り扱うように適合された体積を有する。この場合における通常によって、流体組立体がシャワー用途において使用されるように意図されている場合、シャワーをするなどの意図された使用の間の通常の一次流体の流れが意味されている。意図とは、後でさらに説明されるように、熱交換部材３の下方面と接触しつつ、通常の流体の流れの間の螺旋溝４が、上方入口６から下方出口７に向かって流れる一次流体で満たされ得ることである。
【００３４】
熱交換部材３は、基礎部２の上部に直接的または間接的に圧し掛かって配置され、それらの間で一次流体の第１の流れを可能にする螺旋通路１６を画定している。
【００３５】
開示された実施形態では、熱交換部材３は、二次流体の貫流を許容する螺旋状の流体封止通路１８をそれらの間に画定するように結合された上方壁１７ａおよび下方壁１７ｂによって構成されている。上方壁１７ａおよび下方壁１７ｂは、螺旋状のプレス加工されたパターンが各々設けられており、それによって螺旋通路１８がそれらの間に画定されている。２つの壁の結合は、例として、溶接、接合、またはロウ付けによって行われ得る。
【００３６】
熱交換部材３の螺旋通路１８は、基礎部２の螺旋溝４のピッチに対応するピッチを有している。さらに、熱交換部材３の下方壁１７ｂの形状は、熱交換部材３が基礎部２に配置されるとき、熱交換部材３の壁１７ｂの下方面と基礎部２の螺旋溝４とが、基礎部２の上方入口６から基礎部２の下方出口７へと延びる通り抜けの螺旋通路１６を画定するような手法で、基礎部２と嵌まり合う。これは、基礎部２の螺旋溝４の隆条１５に圧し掛かる熱交換部材３の下方壁１７ｂの下方面によって提供されてもよい。
【００３７】
熱交換部材３と基礎部２の隆条１５との間に本質的に連続の接触面１９があり、それによって、一次流体の流れは、このように画定された螺旋通路１６に沿って方向付けられることになることは、好ましいとされる。封止（開示されていない）が接触面１９に沿って提供されてもよい。したがって、熱交換部材３の螺旋通路１８は、基礎部２の螺旋溝のピッチに対応するピッチを有している。
【００３８】
開示されている実施形態では、熱交換部材３の螺旋通路１６の底壁２８を形成する下方壁１７ｂは、基礎部２の螺旋溝４へと少なくとも部分的に延び下りる断面輪郭を有し、つまり、底壁２８の最下方位置Ｐが、基礎部の螺旋溝４の隆条１５の下方に延びる。したがって、螺旋通路１６が一次流体の流れで満たされるとき、底壁２８は一次流体で浸されることになる。これは、充填の小さい度合いであっても、つまり、一次流体の少ない流れの間であっても、当てはまる。
【００３９】
開示された実施形態では、熱交換部材３の上方壁１７ａは螺旋溝２０を形成している。螺旋溝２０は、熱交換部材３の螺旋通路１８および基礎部２の螺旋溝と同じピッチを有している。
【００４０】
熱交換部材３の螺旋通路１８は、それ自体を通る二次流体の流れを可能にするために設けられている。二次流体の流れは、洗浄組立体１の一次流体の意図されている流れを考慮して対向流を形成してもよい。したがって、螺旋通路１８は、下方入口２１と上方出口２２とを備えている。入口２１および出口２２は、二次流体の供給部への接続を可能にするカップリング２３が設けられた貫通孔として配置されている。二次流体は、例として水道水であり得る。開示されていない実施形態では、カップリング２３は、入口２１および出口２２を二次流体に接続する柔軟な管に接続されてもよい。このような管に過剰な長さを提供することによって、カップリング２３は、熱交換部材の保守の間、接続を外さなくてもよい。
【００４１】
洗浄組立体１は、床張り材２４がさらに設けられ得る。床張り材２４は、基礎部２のフレーム９の上部に圧し掛かって配置されたシート２５から作られたその最も簡単な形態にある。開示された実施形態では、床張り材２４は、フレーム９の周囲境界と中心支持部２６とに圧し掛かって配置されている。中心支持部２６は、好ましくは、排水路３３に向かう一次流体の流出を可能にするために、中心支持部２６の底端部に沿って貫通開口６０が設けられている。
【００４２】
床張り材２４は、好ましくは、人が過度の屈曲のなく床張り材の上部に立つことができる構造的強度を有している。
【００４３】
床張り材２４は、基礎部２に向かう一次流体の流出を可能にするための開口２７と、基礎部２の下方出口７に向かう熱交換部材３とが設けられている。開口２７は、好ましくは、基礎部２の螺旋溝４の上方入口６に隣接して、つまり、開示されている実施形態では床張り材２４の周囲に隣接して配置されている。開口２７に向かう流出をさらに容易にするために、床張り材２４は、開口２７に向かうクラウニング（ｃｒｏｗｎｉｎｇ）（開示されていない）を有してもよい。
【００４４】
清浄を容易にするために、床張り材２４および熱交換部材３は、好ましくは取り外し可能である。その最も簡単に形成されている場合、床張り材２４および熱交換部材３は、持ち上げられ、または、枢動され、それによって、基礎部２と、下方出口７と連通する排水路３３とへのアクセスを提供する。
【００４５】
ここで、図３を見ると、本発明による洗浄組立体１の動作が開示されている。説明は、シャワー３０において使用される洗浄組立体１に基づく。
【００４６】
洗浄組立体１は、熱交換部材３の螺旋通路１８の入口２１に接続されている流入する新鮮な冷水の配管２９によって、シャワー３０に接続されている。螺旋通路１８の出口２２は、配管３１を介してシャワー３０の混合器３２へと接続されており、混合器３２によって、冷水は所望の温度まで温水Ｗと混ぜられることになる。さらに、基礎部２の下方出口７は排水路３３に接続されている。
【００４７】
動作中、二次流体を形成する新鮮な冷水Ｃは、配管２９を介して洗浄組立体１へと供給され、入口２１を介して熱交換部材３の螺旋通路１８に入る。冷水Ｃの固有の圧力によって、冷水は、螺旋の通り抜けの通路１８に沿って出口２２に向かって押され、配管３１を介して洗浄組立体から出て行く。冷水は、配管３１を介して混合器３２へと送り込まれ、混合器３２において、流入する新鮮な温水Ｗと混ぜられて、調節された温水ＷＴを形成する。調節された温水ＷＴは、床張り材２４を洗浄するシャワー３０のノズル３４へと送り込まれる。調節された温水ＷＴは、洗浄組立体１の一次流体を構成することになる。
【００４８】
調節された温水ＷＴは、床張り材２４と接することになり、床張り材２４において、基礎部２に向かう流出のために開口２７に向かって案内される。調節された温水ＷＴは、分配器４５によって、熱交換部材３の持ち上げられた縁の形態で、基礎部２と熱交換部材３との間に形成された螺旋溝４へと主に案内されることになる。螺旋溝４を通るようにその道筋を見出せなかった調節された温水ＷＴは、代わりに、熱交換部材３の上方壁１７ａの螺旋溝２０へとその道筋を見出すことになる。調節された温水ＷＴがどちらの道筋を取るかに係わらず、基礎部２の下方出口７に向かって流れ、排水路３３を介して下方出口７を出て行くことになる。下方出口７に向かうその流れの間、調節された温水ＷＴ、つまり、一次流体は、熱交換部材３の螺旋通路１８における二次流体の対向流と間接的に接触することになる。それによって、熱交換が、調節された温水ＷＴである一次流体と冷水Ｃである二次流体との間で起こる。その結果、調節された冷水ＣＴが配管３１を介して混合器３２へと送り込まれる。この熱交換は、混合器３２へと供給される冷水ＣＴの上昇した温度をもたらすことになる。それによって、冷水と温水との間の混合比は、温水の可能な低減される量で変更されてもよい。代替で、混合器３２に供給される温水Ｗの温度が低くされてもよい。それによって、全体のエネルギー消費が低減され得る。
【００４９】
以下に説明されているこの原理は、基礎部２が凸状または凹状の椀形を有するかどうかに係わらず、等しく適用可能である。一次流体は、常に出口の上方に位置決めされた入口から進むことになり、それによって重力が駆動力として使用される。また、原理は、シャワー以外の他の用途にも等しく適用可能である。洗浄組立体は、一般におけるスカベンジンシステムなど、調節された水の供給を使用する任意の洗浄システムに等しく適用可能である。
【００５０】
本発明の洗浄システムは、すべての面への非常に容易なアクセスを提供し、実質的の隠される場所を備えていない。清浄するために、床張り材２４と熱交換部材３とが簡単に持ち上げられて除去され得る。基礎部２であるかどうかに係わらないすべての面、熱交換部材３、または床張り材２４は、容易に拭い取れる大きくて平面的または若干湾曲的な表面を呈する。二次流体のための螺旋通路の入口および出口は、好ましくは、迅速で簡単な設置を可能にする素早い連結が好ましくは設けられ得る。
【００５１】
熱交換部材は、例として、ハイドロフォームによって形成されてもよい。これを行う１つの方法は、２枚の金属薄板を、一方を他方の上部の上にして配置することである。２枚のシートは、例えば、形成される螺旋通路の意図されている境界線に沿って溶接することで結合される。暫定的な入口および出口が、形成される螺旋通路の入口位置および出口位置に備え付けられる。
【００５２】
このように形成された２層とされた構造は、形成される螺旋通路の酷似した三次元輪郭を画定する型に配置され、暫定的な入口および出口が媒体供給部に接続される。非常に高圧の適切な媒体が、暫定的な入口および出口を介して供給される。加圧された媒体によって、通り抜けの通路が、２枚のシートの壁と溶接された境界線とによって画定されて塑性的に形成されることになる。所望の断面に達せられたとき、媒体の圧力が開放され、結果生じる三次元の寸法が型から取り除かれる。暫定的な入口および出口は、取り外され、二次流体のための適切な接続部品で交換される。
【００５３】
熱交換部材を製作する別の方法は、内部に螺旋通路を各々有する２枚のシートを提供することである。２枚のシートは、一方を他方の上部の上にして配置され、それから、通り抜けの螺旋通路を画定する境界線を形成するために、溶接、接合、またはロウ付けによって結合される。なおも代替の実施形態では、熱交換部材は密に螺旋状に巻かれた管として形成されてもよく、その管では、隣接する巻き同士の外壁部が結合されることで螺旋溝を画定する。
【００５４】
代わりに基礎部が凸状の椀形を有すると仮定すると、螺旋溝が下方周囲部へと下向きに巻く状態で、上方入口は基礎部の上方中心部に代わりに配置される。
【００５５】
上記説明から、本発明の様々な実施形態が説明および図示されてきたが、本発明はそれらに限定されず、以下の特許請求の範囲において定義された主題の範囲内で、他の方法でも具現化されてもよいということになる。
【符号の説明】
【００５６】
１  洗浄組立体
２  基礎部
３  熱交換部材
４  螺旋溝
５  上方包絡面
６  上方入口
７  下方出口
９  フレーム
１０  上面
１１  隆条
１２  上流側壁部
１３  底壁部
１４  下流側壁部
１５  隆条
１６  螺旋通路
１７ａ  上方壁
１７ｂ  下方壁
１８  螺旋通路
１９  接触面
２０  螺旋溝
２１  下方入口
２２  上方出口
２３  カップリング
２４  床張り材
２６  中心支持部
２７  開口
２８  底壁
２９  配管
３０  シャワー
３１  配管
３２  混合器
３３  排水路
４５  分配器
６０  貫通開口
Ｃ  冷水
ＣＴ  調節された冷水
Ｐ  最下方位置
Ｗ  温水
ＷＴ  調節された温水
【図１】
0006401304.tif 000002
【図２】
0006401304.tif 000003
【図３】
0006401304.tif 000004